(57)【特許請求の範囲】
【請求項１】
電気機器収納用箱に形成された取付金具にねじ固定されるケーブルホルダであって、
前記取付金具にねじ止めされる固定辺と、
この固定辺の端部をねじ先端部方向へ折り曲げた第１折曲辺と、この第１折曲辺を前記固定辺と平行に折り曲げた第２折曲辺と、前記第２折曲辺を前記固定辺方向に折り曲げた第３折曲辺を有する折曲辺とを備え、
この折曲辺により、前記ねじ先端部と、ねじ軸部の周囲とを囲い込み、前記ねじ先端部が位置するねじ止め空間と、ケーブル収納空間とを区画することを特徴とするケーブルホルダ。
【請求項２】
前記取付金具は、前記固定辺がねじ止めされるケーブルホルダ固定辺を有するものとし、
このケーブルホルダ固定辺の端部には、前記固定辺を挿通する切欠孔を形成したことを特徴とする請求項１記載のケーブルホルダ。
【請求項３】
前記取付金具は、一辺に機器を取付けるための機器取付孔を形成した機器取付辺を有するものとし、
この機器取付辺と前記ケーブルホルダ固定辺とに亘って前記切欠孔を形成し、
前記ケーブルホルダの固定辺を前記切欠孔にくぐらせることを特徴とする請求項２記載のケーブルホルダ。
【請求項４】
前記固定辺の延長線上または前記固定辺よりも折曲辺側に位置する仕切辺を形成したことを特徴とする請求項１記載のケーブルホルダ。
【発明の詳細な説明】
【技術分野】
【０００１】
本発明は、電気機器収納用箱に形成された取付金具にねじ固定されるケーブルホルダに関するものである。
【背景技術】
【０００２】
電気機器収納用箱の内部には、筐体上下方向に延びる水平断面略クランク形状の取付金具が設けられることがある。この取付金具には、電気機器に接続されるケーブルを保持するためのケーブルホルダがねじ止めされ、筐体側面とケーブルホルダとの間に形成される空間がケーブルを収納するケーブル収納空間として利用される（特許文献１）。図１９（ａ）（ｂ）に示すように、従来のケーブルホルダ５１の端部は水平断面が略Ｌ字状であり、その先端部５１ａは正面側またはコンセントバー等の機器５４側から、取付金具５２に形成した切欠孔５３に挿通される。これにより先端部５１ａが取付金具５２に係止され、さらに正面側からねじ固定されることで図２０に示す状態となる。
【０００３】
しかしながら、前記の構造では、図２０のようにねじ先端部５６がケーブルホルダ５１及び取付金具５２を貫通してケーブル収納空間５５に侵入してしまい、ケーブル収納空間５５に収納されたケーブル等を傷つけてしまう問題があった。
【先行技術文献】
【特許文献】
【０００４】
【特許文献１】特開２０１５−５６５７号公報
【発明の概要】
【発明が解決しようとする課題】
【０００５】
本発明の目的は前記した従来の問題点を解決し、固定用のねじがケーブルを損傷させる恐れがないケーブルホルダを提供することである。
【課題を解決するための手段】
【０００６】
上記課題を解決するためになされた本発明は、電気機器収納用箱に形成された取付金具にねじ固定されるケーブルホルダであって、前記取付金具にねじ止めされる固定辺と、この固定辺の端部をねじ先端部方向へ折り曲げた第１折曲辺と、この第１折曲辺を前記固定辺と平行に折り曲げた第２折曲辺と、前記第２折曲辺を前記固定辺方向に折り曲げた第３折曲辺を有する折曲辺とを備え、この折曲辺により、前記ねじ先端部と、ねじ軸部の周囲とを囲い込み、前記ねじ先端部が位置するねじ止め空間と、ケーブル収納空間とを区画することを特徴とするものである。
【０００７】
【０００８】
請求項２記載の発明は、請求項１記載のケーブルホルダであって、前記取付金具は、前記固定辺がねじ止めされるケーブルホルダ固定辺を有するものとし、このケーブルホルダ固定辺の端部には、前記固定辺を挿通する切欠孔を形成したことを特徴とするものである。
【０００９】
請求項３記載の発明は、請求項２記載のケーブルホルダであって、前記取付金具は、一辺に機器を取付けるための機器取付孔を形成した機器取付辺を有するものとし、この機器取付辺と前記ケーブルホルダ固定辺とに亘って前記切欠孔を形成し、前記ケーブルホルダの固定辺を前記切欠孔にくぐらせることを特徴とするものである。
【００１０】
請求項４記載の発明は、請求項１記載のケーブルホルダであって、前記固定辺の延長線上または前記固定辺よりも折曲辺側に位置する仕切辺を形成したことを特徴とするものである。
【発明の効果】
【００１１】
本発明に係るケーブルホルダは、取付金具にねじ止めされる固定辺と、この固定辺の端部を折り曲げて形成した折曲辺とを備え、この折曲辺によって、ねじ先端部が位置するねじ止め空間と、ケーブル収納空間とを区画するものとした。これにより、ねじ先端部がケーブル収納空間に位置することがなくなり、ねじ先端部によるケーブルの損傷を防止することができる。
【００１２】
さらに、折曲辺は、第２折曲辺を固定辺方向に折り曲げた第３折曲辺を有するものとし、この折曲辺により、ねじ先端部と、ねじ軸部の周囲とを囲い込むものとしても良い。このように複数回の折り曲げにより折曲辺を形成して、ねじ先端部とねじ軸部の周囲とを囲い込むことで、外観が良くなるとともに、ケーブル収納空間をより広く確保することができるものとなる。
【００１３】
請求項２に係る発明のように、取付金具は固定辺がねじ止めされるケーブルホルダ固定辺を有するものとし、このケーブルホルダ固定辺の端部には、固定辺を挿通する切欠孔を形成することができる。これにより、ケーブルホルダがケーブルの荷重等に起因して回動しても、固定辺が切欠孔の内壁と当接して回動を規制することができるものとなる。
【００１４】
請求項３に係る発明のように、取付金具は、機器取付辺を有するものとし、この機器取付辺とケーブルホルダ固定辺とに亘って切欠孔を形成し、ケーブルホルダの固定辺を切欠孔にくぐらせるものとしても良い。これにより、固定辺が切欠孔の内壁に支持される請求項２の構成に加え、折曲辺も切欠孔の内壁に支持されることが可能となるため、ケーブルホルダの荷重を分散させることができる。
【００１５】
請求項４に係る発明のように、固定辺の延長線上または固定辺よりも折曲辺側に位置する仕切辺を形成することができる。これにより、ケーブルホルダ着脱時に、仕切辺が取付金具や機器と干渉することを確実に防止することができる。
【図面の簡単な説明】
【００１６】
【図１】機器及びケーブルホルダ取付け前の電気機器収納用箱を示す全体斜視図である。
【図２】機器及びケーブルホルダ取付け後の電気機器収納用箱を示す全体斜視図である。
【図３】図１の拡大図である。
【図４】図２の拡大図である。
【図５】図４の上面図である。
【図６】ケーブルホルダの斜視図である。
【図７】ケーブルホルダの背面図及び上面図である。
【図８】取付金具の上面図である。
【図９】取付金具の斜視図である。
【図１０】取付金具の正面図である。
【図１１】ケーブルホルダの取付手順（１）を示す斜視図及び断面図である。
【図１２】ケーブルホルダの取付手順（２）を示す斜視図及び断面図である。
【図１３】ケーブルホルダの取付手順（３）を示す斜視図及び断面図である。
【図１４】取付金具にケーブルホルダ及び機器を取付けた状態を示す斜視図である。
【図１５】図１４の上下を入れ替えて機器を取付けた状態を示す斜視図である。
【図１６】参考形態を示す上面図である。
【図１７】第２の実施形態を示す上面図である。
【図１８】第３の実施形態を示す上面図である。
【図１９】従来のケーブルホルダを示す斜視図及び断面図である。
【図２０】従来のケーブルホルダを示す断面図である。
【発明を実施するための形態】
【００１７】
以下に本発明の好ましい実施形態を示す。
なお、本明細書中における上下、左右、前後方向は、本発明のケーブルホルダ６を中心にそれぞれ図４に示す方向を指すものとする。
（第１の実施形態）
図１及び図２のように、本実施形態の電気機器収納用箱は、図示しないサーバ機器等の電気機器を収納するメインキャビネット１と、メインキャビネット１に隣接させて設けられ電気機器への配線をまとめて収納する配線用キャビネット２とを備える。図３のように、配線用キャビネット２内には筐体上下方向に延びる水平断面略クランク形状の取付金具３が設けられており、この取付金具３には図４に示すようにコンセントバー等の機器４が固定される。なお、配線用キャビネット２の骨格を形成する筐体側面２１には、左右方向に延びる取付金具固定具５が上下にそれぞれ取付けられている。取付金具３はこの取付金具固定具５に対して取付けられるものであるが、取付金具固定具５には複数の取付孔２２が形成されているため、取付金具３を位置調整自在に固定することができる。
【００１８】
図４のように、電気機器に接続されるケーブル等を保持するためのケーブルホルダ６が、ねじ７によって取付金具３に取付けられる。詳細は後述するが、ケーブルホルダ６は、図３に示す取付金具３に形成した切欠孔１６に挿通された上で、取付金具３にねじ止めされるものである。これにより、図５のように配線用キャビネット２の筐体側面２１とケーブルホルダ６との間に形成される空間がケーブル収納空間８として利用されることとなる。
【００１９】
図６及び図７に示すケーブルホルダ６は、一枚の鋼板を複数回折り曲げて形成されるものであり、さらに樹脂カバー等で被覆することにより絶縁処理が施されている。ケーブルホルダ６は、取付金具３にねじ７により取付けられる固定辺９と、固定辺９の端部を折り曲げてなる水平断面略コ字状の折曲辺１０と、折曲辺１０の端部を折り曲げて延設した仕切辺１９とを有する。固定辺９には、ねじ７を挿通する長孔状の固定孔１１が形成されている。また、折曲辺１０は、固定辺９の端部をねじ先端部７ａ方向に略９０°折り曲げた第１折曲辺１０ａと、第１折曲辺１０ａを固定辺９と平行かつ対向する方向に略９０°折り曲げた第２折曲辺１０ｂと、さらに第２折曲辺１０ｂを固定辺９方向に略９０°折り曲げた第３折曲辺１０ｃからなるものとした。なお、第２折曲辺１０ｂは、固定辺９よりも延出して形成されている。また、仕切辺１９はケーブル収納空間８と配線用キャビネット２の筐体内部空間７０とを区画するものであり、第３折曲辺１０ｃの先端を略９０°折り曲げることにより形成される。
【００２０】
図８に示すように、取付金具３は水平断面略クランク形状を有しており、図９及び図１０に示すように、ケーブルホルダ６の固定辺９が取付けられるケーブルホルダ固定辺１３と、機器４が取付けられる水平断面略Ｌ字状の機器取付辺１４とを備える。なお、機器取付辺１４は、配線用キャビネット２の筐体側面２１と平行な第１取付辺１４ａと、第１取付辺１４ａの端部を略９０°折り曲げた第２取付辺１４ｂとからなる。そして、第１取付辺１４ａ及び第２取付辺１４ｂのそれぞれの端部を略９０°折り曲げることにより、前記したケーブルホルダ固定辺１３が形成されている。第１取付辺１４ａ及び第２取付辺１４ｂの上下端部には、取付金具３を前記した取付金具固定具５に取付けるための取付孔１７が形成されている。また、第１取付辺１４ａまたは第２取付辺１４ｂの何れか一方には、機器４を取付けるための機器取付孔１８が形成されている。
【００２１】
ケーブルホルダ固定辺１３には、ねじ７が固定される複数の固定孔１５が形成されている。そしてケーブルホルダ固定辺１３の端部には、ケーブルホルダ６の固定辺９を挿通する切欠孔１６が複数形成されており、さらにこの切欠孔１６は、機器取付辺１４に亘って形成されるものとした。
【００２２】
以上に示した取付金具３へのケーブルホルダ６の取付手順について説明する。
はじめに、図１１のようにケーブルホルダ６の第２折曲辺１０ｂを、取付金具３の第２取付辺１４ｂと平行にした上で、図１２のようにケーブル収納空間８側から固定辺９を切欠孔１６に挿通させる。そして、ケーブルホルダ６を略９０°時計回りに回転させて切欠孔１６にケーブルホルダ６の固定辺９のほか、第１折曲辺１０ａもくぐらせることで、図１３に示す状態となる。最後に、ケーブルホルダ固定辺１３に固定辺９を当接させた状態で、ねじ７により両者を固定する。なお、固定辺９に形成した固定孔１１が長孔状であり、かつ切欠孔１６がケーブルホルダ固定辺１３と機器取付辺１４とに亘って形成されていることから、ケーブルホルダ６の左右位置が調整可能となるため、位置決めをしながらねじ止めを行うことができる。
【００２３】
以上のようにケーブルホルダ６が取付金具３に取付けられることにより、図５に示す状態となり、これによりねじ先端部７ａが位置するねじ止め空間１２と、ケーブル収納空間８とが折曲辺１０によって区画されることとなる。したがって、ねじ先端部７ａがケーブル収納空間８に位置することがなくなり、ねじ先端部７ａによるケーブルの損傷を防止することができる。
【００２４】
また、上記手順のようにケーブルホルダ６をケーブル収納空間８側から取付金具３に取付けることができるため、後述する第４の実施形態のように、隣接する機器４側から取付金具８５にケーブルホルダ８０を取付ける構造と異なり、ケーブルホルダ６の着脱時に機器４と干渉する恐れがなく、作業性が高いものとなる。なお、このようにケーブル収納空間８側からケーブルホルダ６を取付金具３に取付ることができるのは、ケーブルホルダ６を構成する折曲辺１０が固定辺９の端部をねじ先端部７ａ方向へ折り曲げた第１折曲辺１０ａと、第１折曲辺１０ａを固定辺９と平行かつ対向する方向へ折り曲げた第２折曲辺１０ｂとを少なくとも有する形状であり、かつこのように構成された折曲辺１０によってねじ止め空間１２とケーブル収納空間８とを区画することによるものである。
【００２５】
また、固定辺９が切欠孔１６に挿通されているため、ケーブルホルダ６がケーブルの荷重等に起因して取付金具３の下方向に回動しても、固定辺９が切欠孔１６の内壁と当接して回動を規制することができる。さらに、切欠孔１６に第１折曲辺１０ａをくぐらせて固定することにより、固定辺９に加えて第１折曲辺１０ａも切欠孔１６の内壁に支持されることとなり、ケーブルホルダ６の荷重を分散させることができるものとなる。
【００２６】
ケーブルホルダ６の第２折曲辺１０ｂは、図５、図６のようにねじ先端部７ａに対向することでねじ先端部７ａを囲い込んでおり、さらに第１折曲辺１０ａ及び第３折曲辺１０ｃにより、ねじ軸部７ｂの左右周囲を囲い込んでいる。これにより、ねじ先端部７ａとねじ軸部７ｂの左右周囲とが囲い込まれて外観が良くなるとともに、第３折曲辺１０ｃによりケーブル収納空間８をより広く確保することができるものとなる。
【００２７】
この実施形態では、第１〜第３折曲辺によって折曲辺１０を構成することにより、ねじ先端部７ａ及びねじ軸部７ｂの左右周囲を囲い込むものとしたが、第１〜第３折曲辺の何れかの上下端部からさらに折曲辺を形成することで、ねじ軸部７ｂの上下周囲をも囲い込む構成とすることができる。
【００２８】
ここで、取付金具３は、図８のように第１取付辺１４ａと第２取付辺１４ｂとが、それぞれ異なる幅（第２取付辺ｗ２＞第１取付辺ｗ１）で形成されており、また第１取付辺１４ａ及び第２取付辺１４ｂとには、それぞれケーブルホルダ固定辺１３が形成されている。これにより、この実施形態では図１４のように取付金具３に対して機器４を取付けているが、機器４のサイズや向きに応じて取付金具３の上下を入れ替え、図１５のような機器４の配置とすることもできる。
【００２９】
図７（ｂ）のように、ケーブルホルダ６の仕切辺１９は固定辺９の延長線上に位置するよう形成されているが、固定辺９よりも折曲辺１０側、即ち後方に位置するよう形成しても差し支えない。仕切辺１９が固定辺９よりも前方に位置するよう形成された場合には、ケーブルホルダ６を図１２の状態としたとき、仕切辺１９が機器空間６０にまで突出してしまうことになり、機器４と干渉してしまい、ケーブルホルダ６を取付けられない恐れがある。したがって、仕切辺１９は固定辺９の延長線上または固定辺９よりも折曲辺１０側に位置するよう形成することにより、ケーブルホルダ６の着脱時に、仕切辺１９が取付金具３や機器４と干渉することを確実に防止することができる。
【００３０】
図６のように、第２折曲辺１０ｂ及び前記の仕切辺１９には、それぞれ長孔状の孔部２０が形成されている。この孔部２０は、ケーブル収納空間８内に収納されたケーブルをまとめるための図示しない結束バンド等を挿通するものである。
【００３１】
以上に示した第１の実施形態は、図４のように、筐体上下方向に延びる取付金具３に対し、ケーブルホルダ６が左右方向に突出するよう取付けられるものである。しかしながら、例えば筐体側面２１に、上下方向に延びる取付金具固定具５を左右にそれぞれ固定し、この取付金具固定具５に取付金具３を筐体左右方向に延びるよう取付けることもできる。この場合は、ケーブルホルダ６が取付金具３から上下方向に突出するよう取付けられることとなる。この場合、折曲辺１０はねじ先端部７ａと、ねじ軸部７ｂの上下周囲とを囲い込む構造となる。
【００３２】
なお、電気機器収納用箱はフレーム筐体のみで構成するものや、また配線用キャビネット２のようにモノコック式の筐体のみで構成するものであっても差し支えない。また、取付金具３の代わりに筐体内に設けられたマウントアングルを利用するものであっても良い。
【００３３】
ケーブルホルダ６の形状は、以下に第２乃至第４の実施形態として示す構造とすることもできる。
（参考形態）
図１６に示すように、折曲辺１０は、第１折曲辺１０ａと第２折曲辺１０ｂとにより構成することもできる。このような構成によっても、折曲辺１０によりねじ先端部７ａが位置するねじ止め空間１２と、配線用キャビネット２の筐体側面２１とケーブルホルダ６との間に形成されるケーブル収納空間８とが区画されることとなる。だだし、この実施形態は第３折曲辺１０ｃを形成する第１の実施形態と比較して、ケーブル収納空間８のスペースが小さくなる上に、折り曲げ回数が少ないため強度が低くなる恐れがある。また、ねじ軸部７ｂの一方の周囲が露出してしまう構造となる。
【００３４】
（第２の実施形態）
したがって、第３折曲辺１０ｃを形成することが好ましく、この第３折曲辺１０ｃは図１７にその他の実施形態として示すように、傾斜させて形成することができる。このような構成によっても、第１の実施形態と同様の作用効果を奏するものとなる。
【００３５】
（第３の実施形態）
図１８に示すように、ケーブルホルダ８０の固定辺８２から仕切辺８３を延設させた構造とすることもできる。この場合においても、取付金具８５の切欠孔８６に仕切辺８３及び固定辺８２をくぐらせてねじ８７で取り付けることができる。これにより、第１折曲辺８１ａと第２折曲辺８１ｂにより構成される折曲辺８１が、ねじ先端部８７ａとねじ軸部８７ｂの周囲を囲うようにしてねじ止め空間１２を形成しており、かつ第２折曲辺８１ｂによってケーブル収納空間８とねじ止め空間１２とが区画される構造となる。しかし、本実施形態においては、ケーブルホルダ８０の取り付けにおいて、仕切辺８３から挿入するためケーブル収納空間８を広く取っておく必要がある。また、機器４側からケーブルホルダ８０を挿通する場合には、機器４を取り外してからでなければケーブルホルダ８０の着脱作業を行うことができないなどの制約が生じるため、第１〜第２の実施形態のように固定辺９のみをケーブル収納空間８側から挿入できるようにしておけば、ケーブル収納空間８を広くすることなく挿入できるため好ましい。
【符号の説明】
【００３６】
１  メインキャビネット
２  配線用キャビネット
３  取付金具
４  機器
５  取付金具固定具
６  ケーブルホルダ
７  ねじ
７ａ  ねじ先端部
７ｂ  ねじ軸部
８  ケーブル収納空間
９  固定辺
１０  折曲辺
１０ａ  第１折曲辺
１０ｂ  第２折曲辺
１０ｃ  第３折曲辺
１１  固定孔
１２  ねじ止め空間
１３  ケーブルホルダ固定辺
１４  機器取付辺
１４ａ  第１取付辺
１４ｂ  第２取付辺
１５  固定孔
１６  切欠孔
１７  取付孔
１８  機器取付孔
１９  仕切辺
２０  孔部
２１  筐体側面
２２  取付孔
５１  ケーブルホルダ（従来）
５１ａ  先端部
５２  取付金具
５３  切欠孔
５４  機器
５５  ケーブル収納空間  
５６  ねじ先端部
６０  機器空間
７０  筐体内部空間
８０  ケーブルホルダ
８１  折曲辺
８１ａ  第１折曲辺
８１ｂ  第２折曲辺
８２  固定辺
８３  仕切辺
８５  取付金具
８６  切欠孔
８７  ねじ
８７ａ  ねじ先端部
８７ｂ  ねじ軸部
【図１】
0006521727.tif 000002
【図２】
0006521727.tif 000003
【図３】
0006521727.tif 000004
【図４】
0006521727.tif 000005
【図５】
0006521727.tif 000006
【図６】
0006521727.tif 000007
【図７】
0006521727.tif 000008
【図８】
0006521727.tif 000009
【図９】
0006521727.tif 000010
【図１０】
0006521727.tif 000011
【図１１】
0006521727.tif 000012
【図１２】
0006521727.tif 000013
【図１３】
0006521727.tif 000014
【図１４】
0006521727.tif 000015
【図１５】
0006521727.tif 000016
【図１６】
0006521727.tif 000017
【図１７】
0006521727.tif 000018
【図１８】
0006521727.tif 000019
【図１９】
0006521727.tif 000020
【図２０】
0006521727.tif 000021